(57)【要約】 【課題】  構造の簡素化及び小型化を図る。【解決手段】  薬剤１０が封入される本体と薬剤を送出する送出孔５ａが形成された筒先５とを有する筒状筐体２と、空気流入孔６ａを有し筒状筐体に結合された蓋体３と、薬剤の送出孔からの非送出時に蓋体に貼り付けられ空気流入孔を閉塞する封止フィルム１５とを備え、筒状筐体と蓋体によって、送出孔と空気流入孔に連通され膨張剤１１と薬剤が分離された状態で封入される内部空間９が形成され、膨張剤は内部空間に封入されると共に鉄を主成分とした材料から成り、空気流入孔から空気が流入され、流入された空気中の酸素により酸化鉄が生成されて膨張剤が膨張され、膨張剤の膨張によって薬剤に圧力が付与されて薬剤が送出孔から送出され、封止フィルムが蓋体に貼り付けられて薬剤の送出孔からの送出が停止される。【選択図】図１
2016019701.tif 000002
【特許請求の範囲】
【請求項１】
少なくとも一部が筒状にされ反対側に二つの開口を有する形状に形成されると共に薬剤が封入される本体と前記薬剤を送出する送出孔が形成された筒先とを有する筒状筐体と、
空気流入孔を有し前記筒状筐体の一端部に一方の前記開口を閉塞する状態で結合された蓋体と、
前記薬剤の前記送出孔からの非送出時に前記蓋体に貼り付けられ前記空気流入孔を閉塞する封止フィルムとを備え、
前記筒状筐体と前記蓋体によって、前記送出孔と前記空気流入孔に連通され膨張剤と前記薬剤が分離された状態で封入される内部空間が形成され、
前記膨張剤は前記内部空間に封入されると共に鉄を主成分とした材料から成り、
前記空気流入孔から空気が流入され、前記流入された空気中の少なくとも酸素により酸化鉄が生成されて前記膨張剤が膨張され、前記膨張剤の膨張によって前記薬剤に圧力が付与されて前記薬剤が前記送出孔から送出され、
前記封止フィルムが前記蓋体に貼り付けられて前記薬剤の前記送出孔からの送出が停止される
薬剤送出装置。
【請求項２】
前記薬剤がバリアフィルムによって覆われた状態で前記内部空間に封入され、
前記バリアフィルムの各部がそれぞれ前記薬剤と前記筒状筐体の間及び前記薬剤と前記膨張剤の間に位置される
請求項１に記載の薬剤送出装置。
【請求項３】
前記内部空間における少なくとも前記膨張剤と前記薬剤の間に薬剤の膨張剤への流入を防止する逆流防止フィルムが配置された
請求項１又は請求項２に記載の薬剤送出装置。
【請求項４】
前記筒先に、皮膚に穿刺される針又は先端部に針が結合されたチューブが取り付けられる
請求項１、請求項２又は請求項３に記載の薬剤送出装置。
【発明の詳細な説明】
【技術分野】
【０００１】
本発明は、内部空間に封入された薬剤を筒先に形成された送出孔から送出する薬剤送出装置についての技術分野に関する。
【先行技術文献】
【特許文献】
【０００２】
【特許文献１】特許４４２７６９１号
【特許文献２】米国特許第３９６４４８２号
【特許文献３】国際公開第２０００／７４７６４号
【特許文献４】特許公開２０１３−９０８０８号
【特許文献５】特表２００３／５０４１７０号
【背景技術】
【０００３】
注射を用いて筋肉や血管に針を穿刺して薬剤を患者に投与する方法があるが、長時間に亘って薬剤を体内に送るためには、薬剤を支持する点滴スタンドや薬剤をリザーバーから送るための長いチューブを用いる必要があり、患者の活動に不自由を伴うことが多い。
【０００４】
一方、薬剤を液状にして皮膚に塗布し浸透させ患者に投与する方法がある。この方法においては、患者に苦痛を伴うことなく薬剤を投与することが可能であるが、発汗や機械的要因によって薬剤が皮膚から除去されることがあり、患者への薬剤の投与が不十分になるおそれがある。また、薬剤を皮膚に塗布して浸透させる方法にあっては、分子量の大きな薬剤が投与される場合に、皮膚からの吸収が不十分になり皮膚に障害を及ぼすおそれもある。
【０００５】
そこで、薬剤を低分子のコラーゲンに混合し、複数の針を有する針状構造体を粘着テープによって皮膚に貼ることにより注射する方法がある（例えば、特許文献１参照）。このような方法は「貼る注射」として知られ、薬剤を含んだコラーゲンの針が体温によって溶解され、薬剤が皮膚（表皮）で吸収され、痛みを伴わずに薬剤を投与することができる。
【０００６】
また、針を皮膚に穿刺して液状の薬剤をリザーバーから電気泳動やポンプやモーター等を用いて供給して注入する方法がある（例えば、特許文献２乃至特許文献５参照）。この方法は、薬剤を供給するための大きなリザーバーを要しているため、「貼る注射」よりも多くの薬剤を患者に投与することが可能である。
【発明の概要】
【発明が解決しようとする課題】
【０００７】
ところが、特許文献２乃至特許文献５に記載された方法にあっては、患者に痛みを伴うことなく多くの薬剤を投与することが可能であるが、リザーバーが必要であると共に電気回路やポンプ等が必要であり、複雑な構造の大掛かりな装置を用いることになり、特に、日常生活において使用する際に不都合を生じてしまう。
【０００８】
そこで、本発明薬剤送出装置は、上記した問題点を克服し、構造の簡素化及び小型化を図ることを目的とする。
【課題を解決するための手段】
【０００９】
第１に、本発明に係る薬剤送出装置は、少なくとも一部が筒状にされ反対側に二つの開口を有する形状に形成されると共に薬剤が封入される本体と前記薬剤を送出する送出孔が形成された筒先とを有する筒状筐体と、空気流入孔を有し前記筒状筐体の一端部に一方の前記開口を閉塞する状態で結合された蓋体と、前記薬剤の前記送出孔からの非送出時に前記蓋体に貼り付けられ前記空気流入孔を閉塞する封止フィルムとを備え、前記筒状筐体と前記蓋体によって、前記送出孔と前記空気流入孔に連通され膨張剤と前記薬剤が分離された状態で封入される内部空間が形成され、前記膨張剤は前記内部空間に封入されると共に鉄を主成分とした材料から成り、前記空気流入孔から空気が流入され、前記流入された空気中の少なくとも酸素により酸化鉄が生成されて前記膨張剤が膨張され、前記膨張剤の膨張によって前記薬剤に圧力が付与されて前記薬剤が前記送出孔から送出され、前記封止フィルムが前記蓋体に貼り付けられて前記薬剤の前記送出孔からの送出が停止されるものである。
【００１０】
これにより、膨張剤が膨張されることにより内部空間に封入された薬剤が送出孔から送出される。
【００１１】
第２に、上記した本発明に係る薬剤送出装置においては、前記薬剤がバリアフィルムによって覆われた状態で前記内部空間に封入され、前記バリアフィルムの各部がそれぞれ前記薬剤と前記筒状筐体の間及び前記薬剤と前記膨張剤の間に位置されることが望ましい。
【００１２】
これにより、薬剤が膨張剤と分離され、膨張剤及び筒状筐体からの薬剤への金属イオン等の生体不適合成分が侵入されない。
【００１３】
第３に、上記した本発明に係る薬剤送出装置においては、前記内部空間における少なくとも前記膨張剤と前記薬剤の間に前記薬剤の前記膨張剤への流入を防止する逆流防止フィルムが配置されることが望ましい。
【００１４】
これにより、薬剤の水分が膨張剤に流入しなくなる。
【００１５】
第４に、上記した本発明に係る薬剤送出装置においては、前記筒先部に、皮膚に穿刺される針又は先端部に針が結合されたチューブが取り付けられることが望ましい。
【００１６】
これにより、送出孔から送出された薬剤が針から皮膚に注入される。
【発明の効果】
【００１７】
本発明によれば、膨張剤が膨張されることにより内部空間に封入された薬剤が送出孔から送出されるため、リザーバーや電気回路やポンプ等の構造が不要になり、構造の簡素化及び小型化を図ることができる。
【図面の簡単な説明】
【００１８】
【図１】図２乃至図８と共に本発明薬剤送出装置の実施の形態を示すものであり、本図は、薬剤送出装置の全体構造を示す断面図である。
【図２】図３及び図４と共に薬剤送出装置の組立の手順を示すものであり、本図は、筒状筐体の内部にバリアフィルムに覆われた薬剤が挿入された状態を示す断面図である。
【図３】筒状筐体の内部に、順に、逆流防止フィルムと空気遮断フィルムに覆われた膨張剤とが挿入された状態を示す断面図である。
【図４】筒状筐体に蓋体が結合された状態を示す断面図である。
【図５】図６及び図７と共に薬剤送出装置の使用時における作業及び動作を示すものであり、本図は、粘着テープによって筒状筐体が皮膚に固定され、針が皮膚に穿刺された状態を示す断面図である。
【図６】蓋体から封止フィルムが剥離され、空気流入孔に孔開け治具が挿入され空気遮断フィルムに貫通孔が形成された状態を示す断面図である。
【図７】空気遮断フィルムの内部に空気が流入され、膨張剤が膨張されて薬剤が送出孔から送出され針から体内に薬剤が注入されている状態を示す断面図である。
【図８】筒先に針が取り付けられたときの使用状態の一例を示す断面図である。
【発明を実施するための形態】
【００１９】
以下に、本発明薬剤送出装置を実施するための形態について添付図面を参照して説明する。
【００２０】
尚、薬剤送出装置には筒先に送出孔が形成されており、以下の説明にあっては、送出孔の延びる方向を上下方向とし、筒先の先端方向を下方として上下方向を示すものとする。但し、以下に示す上下方向は説明の便宜上のものであり、本発明の実施に関しては、これらの方向に限定されることはない。
【００２１】
＜薬剤送出装置の全体構造＞
先ず、薬剤送出装置１の全体構造について説明する（図１参照）。
【００２２】
薬剤送出装置１は、上下に貫通する筒状に形成された筒状筐体２と筒状筐体２の上端部に結合された蓋体３とを有している。
【００２３】
筒状筐体２は本体４と筒先５が剛性の高い透明又は半透明の材料によって、例えば、一体に形成されて成る。
【００２４】
本体４は円筒状又は角筒状に形成された筒状部４ａと筒状部４ａの下端部から内方に張り出された内フランジ状の連結部４ｂとから成る。筒先５は連結部４ｂの内周部から下方に突出され円筒状又は角筒状に形成されている。筒先５の内側の空間は送出孔５ａとして形成されている。
【００２５】
尚、上記には、筒状筐体２の各部が一体に形成された例を示したが、筒状筐体２は筒状部４ａ、連結部４ｂ又は筒先５の少なくとも一つが他の部分に対して別体で形成され、別体で形成された各部が結合されて構成されていてもよい。また、筒状筐体２は全体が透明又は半透明の材料によって形成されている必要はなく、少なくとも筒状部４ａにおける後述する薬剤が封入される部分が透明又は半透明の材料によって形成されていればよい。筒状筐体２が透明又は半透明であることにより、筒状筐体２に封入される薬剤の消耗度合いを肉眼で判定することが可能となる。
【００２６】
筒状筐体２は、例えば、外径（外形）が１０ｍｍ程度にされている場合に厚みが０．５ｍｍ〜２．０ｍｍにされ、例えば、長さが５０ｍｍ〜１００ｍｍにされている。
【００２７】
蓋体３は金属材料又は樹脂材料によって形成され、筒状筐体２の上側の開口２ａを閉塞する閉塞部６と筒状筐体２の上端部を外周側から覆うカバー部７とから成る。閉塞部６は上下方向を向く板状に形成され、カバー部７は閉塞部６の外周部から下方に突出されている。
【００２８】
閉塞部６には上下に貫通された空気流入孔６ａが形成されている。空気流入孔６ａは複数が形成されていてもよく、図１等には、複数の空気流入孔６ａ、６ａ、・・・が形成された例を示している。
【００２９】
蓋体３は、閉塞部６が筒状部４ａの上面を覆った状態でカバー部７が、例えば、ネジや接着や熱圧着等によって筒状筐体２に結合される。蓋体３が筒状筐体２に結合されることにより、筒状筐体２の上側の開口２ａが閉塞部６によって閉塞される。
【００３０】
尚、薬剤送出装置１が繰り返し使用可能なタイプである場合には、薬剤送出装置１の内部に後述する薬剤と膨張剤を繰り返し封入する必要があるため、蓋体３は筒状筐体２に接着や熱圧着等によって結合されることなく、筒状筐体２に対して取外可能なネジ等によって結合されることが望ましい。
【００３１】
筒先５の先端部にはキャップ８が取り付けられる。キャップ８は筒先５に対して着脱可能とされ、金属材料又は樹脂材料によって形成されている。キャップ８が筒先５に取り付けられることにより、筒状筐体２の下側の開口２ｂ、即ち、筒先５の先端の開口がキャップ８によって閉塞される。従って、キャップ８によって送出孔５ａからの筒状筐体２の内部への水分や塵埃等の異物の侵入が防止される。
【００３２】
上記のように筒状筐体２に蓋体３が結合されることにより、筒状部４ａに内部空間９が形成される。内部空間９は筒先５の送出孔５ａと蓋体３の空気流入孔６ａとに連通されている。
【００３３】
内部空間９には薬剤１０と膨張剤１１が、例えば、上下方向において分離された状態で封入されている。
【００３４】
薬剤１０は膨張剤１１の下側に位置されている。薬剤１０は水溶性の薬剤である。
【００３５】
薬剤１０としては、例えば、インシュリン剤、解熱鎮痛消炎剤、ステロイド系抗炎症剤、血管拡張剤、不整脈用剤、血圧降下剤、局所麻酔剤、ホルモン剤、抗ヒスタミン剤、全身麻酔剤、睡眠鎮痛剤、抗癲癇剤、精神神経用剤、骨格筋弛緩剤、自立神経用剤、抗パーキンソン剤、利尿剤、血管収縮剤、呼吸促進剤等が挙げられる。
【００３６】
薬剤１０は一般的に液体である。但し、薬剤１０は内部空間９に封入された状態において、後述するように、筒先５に、針又は先端部に針が結合されたチューブが取り付けられ筒状筐体２が皮膚に固定された状態で針が皮膚に穿刺されたときに、体温で溶融するように低分子のコラーゲンやゼラチン等によってゲル化されていてもよい。薬剤１０はバリアフィルム１２によって覆われ、周辺の部材全てとバリアフィルム１２を介して接している。従って、バリアフィルム１２は各部がそれぞれ薬剤１０と筒状筐体２の間及び薬剤１０と膨張剤１１の間に位置されている。
【００３７】
尚、薬剤１０の送出を開始する前には、筒先５の送出孔５ａから図示しない穿刺用の治具を挿入してバリアフィルム１２に後述する挿通孔を形成し、筒先５に針又は先端部に針が結合されたチューブを取り付けた後に、膨張剤１１を膨張させて薬剤送出装置１が使用される。
【００３８】
バリアフィルム１２は、例えば、エチレン−酢酸ビニル共重合体、ポリエチレン、ポリエチレン及びエチレン−酢酸ビニル共重合体、環状オレフィンコポリマー、ポリプロピレン等によって形成されている。
【００３９】
上記したように、バリアフィルム１２の各部が周辺の部材全てと接していることにより、バリアフィルム１２によって覆われた薬剤１０が膨張剤１１と確実に分離され、膨張剤１１及び筒状筐体２からの薬剤１０への金属イオン等の生体不適合成分の侵入が防止され、体内への生体不適合成分の侵入を防止することができる。
【００４０】
膨張剤１１は金属粉末、例えば、鉄粉等を主成分とした材料から成り、空気中の酸素及び水分により酸化鉄が生成されて膨張される。具体的には、膨張剤１１は鉄粉等の金属粉末を主成分として、食塩等の金属ハロゲン化物又は硫酸金属塩類等の反応助剤と水及び高分子吸収剤等の保水剤とによって形成されている。
【００４１】
膨張剤１１は、例えば、空気遮断フィルム１３の内部に収容され空気と遮断された状態で内部空間９に封入されている。空気遮断フィルム１３は、例えば、エチレン−ビニルアルコール共重合樹脂やナイロン（合成高分子ポリアミド）系の合成樹脂によって形成されている。
【００４２】
空気遮断フィルム１３は各部が後述する逆流防止フィルムの内面と蓋体３の下面とに密着される。但し、逆流防止フィルムが用いられない場合もあり、この場合には、空気遮断フィルム１３は各部が筒状筐体２の内周面と蓋体３の下面とバリアフィルム１２の上面とに密着される。
【００４３】
膨張剤１１は、空気遮断フィルム１３に後述する貫通孔が形成されると、蓋体３の空気流入孔６ａを介して流入される空気によって鉄が酸化鉄に変化され、熱を発生すると共に体積が約２倍に膨張する。膨張剤１１が膨張すると、膨張によって薬剤１０に圧力が付与されて薬剤１０が送出孔５ａから送出される。膨張剤１１は体積が約２倍に膨張するため、例えば、厚さ１０ｍｍ分の膨張剤１１は、厚さ１０ｍｍ分の薬剤１０を送出孔５ａから送出させることが可能である。
【００４４】
上記したように、膨張剤１１が空気遮断フィルム１３によって覆われることにより、膨張剤１１が空気と遮断されるため、薬剤１０の送出前において膨張剤１１が誤って膨張されることがなく、薬剤１０の誤送出を防止することができる。また、膨張される前において膨張剤１１を体積が小さい状態で保存することができ、その分、内部空間９の大きさを小さくすることが可能であり、薬剤送出装置１の小型化を図ることができる。
【００４５】
尚、例えば、筒状部４ａと蓋体３と後述する封止フィルムによって膨張剤１１に対する空気の遮断を十分に行うことが可能な場合には、膨張剤１１は必ずしも空気遮断フィルム１３に封入されていなくてもよく、例えば、空気が通過可能な不織布等によって形成された収容袋に収容された状態で内部空間９に封入されていてもよい。
【００４６】
内部空間９には逆流防止フィルム１４の一部を除いた部分が配置されている。逆流防止フィルム１４は、例えば、エチレン−酢酸ビニル共重合体、ポリエチレン、ポリエチレン及びエチレン−酢酸ビニル共重合体、環状オレフィンコポリマー、ポリプロピレン等によって形成されている。
【００４７】
逆流防止フィルム１４は、空気遮断フィルム１３に覆われた状態で膨張剤１１を、上方を除く外面側から覆うように配置され、上端側の一部が外方に張り出された被押さえ部１４ａとして設けられている。逆流防止フィルム１４は被押さえ部１４ａが筒状筐体２における筒状部４ａの上面に載置され、被押さえ部１４ａが蓋体３の閉塞部６によって上方から押さえられることにより、筒状筐体２に取り付けられている。
【００４８】
このように逆流防止フィルム１４を用いることにより、万が一、薬剤１０が筒状部４ａの壁面を伝って膨張剤１１側に流入された場合でも、逆流防止フィルム１４によって薬剤１０に含まれる水分の膨張剤１１への流入を防止することができ、膨張剤１１の良好な機能を確保することができる。
【００４９】
蓋体３の上面には封止フィルム１５が貼り付けられている。封止フィルム１５としては、蓋体３に対する貼付と剥離を繰り返し行うことが可能な粘着テープ等が用いられる。封止フィルム１５によって蓋体３の空気流入孔６ａが封止される。
【００５０】
封止フィルム１５は薬剤送出装置１の使用時（薬剤の投与時）に蓋体３から剥離され、蓋体３が剥離されることにより空気流入孔６ａの封止状態が解除される。
【００５１】
このように蓋体３に封止フィルム１５が貼り付けられることにより、薬剤送出装置１の非使用時に空気流入孔６ａが封止され、薬剤送出装置１の非使用時に誤って空気流入孔６ａに異物が侵入して空気遮断フィルム１３に貫通孔が形成されることがなく、薬剤送出装置１の誤使用を防止することができる。
【００５２】
また、蓋体３に封止フィルム１５が貼り付けられることにより、空気流入孔６ａに異物が侵入して目詰まりし空気流入孔６ａにおける空気の流入が阻害されることがなく、薬剤送出装置１の使用時に確実に薬剤１０を外部へ送出させることができる。
【００５３】
＜薬剤送出装置の組立の手順＞
次に、上記した薬剤送出装置１の組立の手順について説明する（図１乃至図４参照）。
【００５４】
尚、筒状筐体２が一体で形成されておらず複数の部材によって別体で構成される場合には、別体で形成された各部材を結合して筒状筐体２を形成する。
【００５５】
先ず、筒状筐体２の内部に、バリアフィルム１２によって覆われた薬剤１０を挿入すると共に筒先５にキャップ８を取り付ける（図２参照）。次に、筒状筐体２の内部空間９に逆流防止フィルム１４と空気遮断フィルム１３に覆われた状態の膨張剤１１とを上側から順に挿入する（図３参照）。バリアフィルム１２は連結部３ｂの上面に接した状態にされ、空気遮断フィルム１３は下面が逆流防止フィルム１４の内面に接した状態にされる。
【００５６】
続いて、筒状筐体２の上端部に蓋体３を結合する（図４参照）。筒状筐体２が蓋体３に結合されることにより内部空間９が形成され、内部空間９に薬剤１０と膨張剤１１が封入される。
【００５７】
次いで、蓋体３の上面に封止フィルム１５を貼り付けて空気流入孔６ａを閉塞し、薬剤送出装置１の組立を終了する（図１参照）。
【００５８】
＜薬剤送出装置の使用時における作業及び動作＞
以下に、薬剤送出装置１の使用時における作業及び動作について説明する（図５乃至図７参照）。
【００５９】
先ず、筒状筐体２の筒先５を上にして筒先５からキャップ８を取り外し、筒先５の送出孔５ａから図示しない穿刺用の治具を挿入してバリアフィルム１２に挿通孔１２ａを形成し、穿刺用の治具を筒先５から引き出した後に、筒先５に、針５０又は先端部に針５０が結合されたチューブ６０を取り付ける（図５参照）。尚、チューブ６０はゴム材料等の屈曲性に富む材料によって形成されていることが望ましい。
【００６０】
次に、針５０を、薬剤１０を注入する部位の皮膚１００に穿刺し、筒状筐体２を粘着テープ７０やベルト７０等によって腕又は皮膚１００に固定する。
【００６１】
次いで、蓋体３から封止フィルム１５を剥離し、空気流入孔６ａに針状の孔開け治具８０を挿入し空気遮断フィルム１３に孔開け治具８０の先端を押し付ける（図６参照）。空気遮断フィルム１３に孔開け治具８０の先端が押し付けられることにより、空気遮断フィルム１３に貫通孔１３ａが形成される。
【００６２】
空気遮断フィルム１３に貫通孔１３ａが形成されると、空気流入孔６ａを介して貫通孔１３ａから空気遮断フィルム１３の内部に空気が流入され、空気中の酸素及び水分により酸化鉄が生成されて膨張剤１１が膨張される（図７参照）。膨張剤１１が膨張されると、薬剤１０に圧力が付与される。このとき皮膚１００に穿刺された針５０から薬剤１０が体内に送出される。
【００６３】
尚、蓋体３と封止フィルム１５によって内部空間９において膨張剤１１が密封されており、空気遮断フィルム１３に代えて不織布等によって形成された収容袋が用いられている場合には、孔開け治具８０によって空気遮断フィルム１３に貫通孔１３ａを形成する作業を行うことなく、封止フィルム１５を剥離するだけで、空気中の酸素及び水分により酸化鉄が生成されて膨張剤１１が膨張される。
【００６４】
従って、空気遮断フィルム１３に代えて収容袋が用いられた場合には、薬剤１０の注入時における作業が簡便になり、薬剤送出装置１の使い勝手の向上を図ることができる。
【００６５】
薬剤送出装置１にあっては、上記したように、膨張剤１１の下側に薬剤１０が封入されているため、膨張剤１１の膨張時に薬剤１０が上方から押圧され、薬剤１０が内部空間９から送出孔５ａに順次送り込まれるときに、膨張剤１１を収容する空気遮断フィルム１３によって送出孔５ａにおける上側の開口が閉塞され難い。従って、薬剤１０が内部空間９から送出孔５ａに一定の速度で一定量ずつ送り込まれ、薬剤送出装置１の安定した使用状態を確保することができる。
【００６６】
尚、薬剤送出装置１の使用時に途中で薬剤１０の送出を停止させたい場合には、蓋体３に再び封止フィルム１５を貼り付けて空気流入孔６ａを閉塞し、空気遮断フィルム１３の内部への空気の流入が行われないようにして膨張剤１１の膨張を停止させればよい。
【００６７】
上記には、各図において、針５０がチューブ６０を介して筒先５に取り付けられた例を示したが、筒状筐体２の筒先５にチューブ６０を介すことなく針５０を取り付けることも可能であり、この場合には、例えば、筒状筐体２を図示しない吊下具等に吊り下げた状態で針５０を皮膚１００に穿刺して薬剤送出装置１を使用することも可能である。
【００６８】
また、筒状筐体２の筒先５にチューブ６０を介すことなく直接針５０を取り付けるときに、例えば、予め屈曲された針５０を用いることにより、筒状筐体２を粘着テープ７０やベルト７０等によって腕又は皮膚１００に固定することが可能である（図８参照）。
【００６９】
このように屈曲された針５０を用いることにより、筒状筐体２を粘着テープ７０やベルト７０等によって腕又は皮膚１００に固定することが可能であるため、チューブ６０が不要であり、使い勝手の向上を確保した上で簡素な構成において薬剤送出装置１を使用することができる。
【００７０】
上記したように、薬剤送出装置１にあっては、膨張剤１１が鉄を主成分とした材料から成り空気中の酸素及び水分により酸化鉄が生成されて膨張され薬剤１０が外部へ送出されるため、簡単な構成により確実に薬剤１０を外部へ送出させることができる。
【００７１】
また、膨張される前において膨張剤１１を体積が小さい状態で保存することができ、その分、内部空間９の大きさを小さくすることが可能であり、薬剤送出装置１の小型化を図ることができる。
【００７２】
さらに、筒先５に、皮膚１００に穿刺される針５０又は先端部に針５０が結合されたチューブ６０が取り付けられて使用されることにより、薬剤１０の針５０からの体内への注入を簡便な手段によって容易に行うことが可能であり、薬剤送出装置１の使い勝手の向上を図ることができる。
【符号の説明】
【００７３】
１…薬剤送出装置
２…筒状筐体
２ａ…開口
２ｂ…開口
３…蓋体
４…本体
５…筒先
５ａ…送出孔
６ａ…空気流入孔
９…内部空間
１０…薬剤
１１…膨張剤
１２…バリアフィルム
１４…逆流防止フィルム
１５…封止フィルム
５０…針
６０…チューブ
１００…皮膚
【図１】
2016019701.tif 000003
【図２】
2016019701.tif 000004
【図３】
2016019701.tif 000005
【図４】
2016019701.tif 000006
【図５】
2016019701.tif 000007
【図６】
2016019701.tif 000008
【図７】
2016019701.tif 000009
【図８】
2016019701.tif 000010